(57)【特許請求の範囲】
【請求項１】
平面板で形成された上板部と、該上板部に接続され、平面板で形成された側板部と、該側板部に接続され、乾燥剤を載置することができ、前記上板部または前記側板部との間で通気口を設けて形成された底板部とを備える紙製の乾燥剤容器であって、
前記上板部は、六角形状であり、中央に貫通した通気孔が形成され、互いに平行な各長辺部の長さより、各長辺部に続けて設けられた等辺部で形成された相対する二箇所にある突出部の先端同士の間隔が長い形状であり、
前記側板部は、前記上板部の一方の前記長辺部に前記上板部に対し直角に設けられ、前記長辺部と同幅でほぼ四角形状の一方の側板部を有し、該一方の側板部の先端縁には、前記一方の側板部より幅が狭くほぼ四角形状の底板部が前記一方の側板部に対し直角に設けられ、前記底板部の先端縁には、前記一方の側板部と同幅でほぼ四角形状の他方の側板部が前記底板部に対し直角に、かつ前記一方の側板部と平行に設けられており、
前記一方の側板部の両側の先端縁には、先側板部が前記一方の側板部に対し所要の角度を以て設けられ、前記他方の側板部の両側の先端縁には、先側板部が前記他方の側板部に対し所要の角度を以て設けられており、
前記一方の側板部の両側の各先側板部と、前記他方の側板部の両側の各先側板部が、前記上板部の下側で接触可能として、各先側板部に形成された切込部を係合して互いに交差して接続され、前記底板部と交差して接続された各先側板部の間には、それぞれ前記通気口が形成されている
乾燥剤容器。
【請求項２】
内部に乾燥剤を収容している
請求項１の乾燥剤容器。
【請求項３】
下側が筒状に形成された胴部と、該胴部の下端寄りに下方向側へ膨らむよう湾曲して形成された曲面形状の底部を有し、一部又は全部が透明又は透視できる程度の半透明なプラスチック製であると共に変形性を有するパック容器と、
底面が前記パック容器の前記底部に収まる形状を有する請求項２の乾燥剤容器とを備える
包装容器。
【請求項４】
下側が筒状に形成された胴部と、該胴部の下端寄りに下方向側へ膨らむよう湾曲して形成された曲面形状の底部を有し、一部又は全部が透明又は透視できる程度の半透明なプラスチック製であると共に変形性を有するパック容器と、
底面が前記パック容器の前記底部に収まる形状を有する請求項２の乾燥剤容器と、
所要枚数を重ね、それぞれの下端を前記乾燥剤容器の上面に載せて配置するようにして、前記包装容器に収容されている紙葉状海苔とを備える
紙葉状海苔包装体。
【発明の詳細な説明】
【技術分野】
【０００１】
本発明は、乾燥剤容器、包装容器およびそれを使用した紙葉状海苔包装体に関するものである。更に詳しくは、内容物の乾燥がより効果的に行われるように通気性を向上させた、包装容器に使用される乾燥剤容器、この乾燥剤容器を使用し、内部における内容物の収容位置での安定度を高めて収まりよくすることで、見栄えがするように内容物を収容できる包装容器、およびこの包装容器を使用した紙葉状海苔包装体に関する。
【背景技術】
【０００２】
例えば、一般にスタンドパックと称される包装容器は、容器自身が自立することができ、しかも変形が可能であるので、特に液体や粘性体、或いは流動性固体の包装において、優れた機能性を有している。すなわち、多数を箱詰めする等の包装の際には、互いに隙間なく詰めることができるので収容性に優れ、また、ボトルのように立てて並べることができるので、陳列性、つまりディスプレイ効果に優れている。
【０００３】
このような包装容器は、例えば胴部が筒状で、この胴部の下端寄りに下方向側へ膨らむよう湾曲した曲面形状の底部を有する構成を備えている（特許文献１参照）。
また、包装容器は、上記したように優れた機能性を有しているので、液体や粘性体、或いは流動性固体に限らず、様々な形態の商品の包装用として利用されるようになってきた。例えば、いわゆる味海苔等、紙葉状海苔もその一つである。
【０００４】
紙葉状海苔を好適に包装できる包装容器としては、例えば特許文献１に開示されている包装容器がある。この包装容器は、胴部下側が筒状で、胴部の下端寄りに下方向側へ膨らむよう湾曲した曲面形状の底部を有し、透明又は透視できる程度の半透明で変形性を有するプラスチック製のパック容器と、パック容器の底部に収容され、底面が底部に収まる形状を有し、上部が通気可能で平坦なシートを有し、内部に乾燥剤を収容した乾燥剤入り容器とを備えており、容器内部における紙葉状海苔の収容位置での安定度を高めて収まりよく紙葉状海苔を収容でき、且つ収容された紙葉状海苔をムラなく乾燥させることができるというものである。
【先行技術文献】
【特許文献】
【０００５】
【特許文献１】特開２０１４−２１３９０１号公報
【発明の概要】
【発明が解決しようとする課題】
【０００６】
しかしながら、従来の包装容器には、次のような課題があった。
まず、上記包装容器を構成する乾燥剤入り容器は、内容物を収まりよく包装することができる点については充分に有用である。しかしながら、通気可能な部分が容器の上部を塞ぐシートのみであり、空気の通り抜けもないために、通気量が充分とはいえず、内容物の乾燥にも支障を来すおそれがあった。
【０００７】
なお、乾燥剤入り容器において、仮に、シート以外の他の部分に、通気できるような多数の微細な通気孔を設けたとしても、乾燥剤入り容器をパック容器の底部に収まりよくするために、乾燥剤入り容器の通気孔を設けた表面とパック容器の底部表面の間には隙間がほとんど形成されず（特許文献１の図１、図２など参照）、結果的に通気性能において大きな違いは生じない。
【０００８】
本発明は、以上の点に鑑みて創案されたものであり、内容物の乾燥がより効果的に行われるように通気性を向上させた、包装容器に使用される乾燥剤容器、この乾燥剤容器を使用し、内部における内容物の収容位置での安定度を高めて収まりよくすることで、見栄えがするように内容物を収容できる包装容器、およびこの包装容器を使用した紙葉状海苔包装体を提供することを目的とする。
【課題を解決するための手段】
【０００９】
上記課題を解決するために本発明が講じた手段は次のとおりである。
（１）本発明は、平面板で形成された上板部と、該上板部に接続され、平面板で形成された側板部と、該側場部に接続され、乾燥剤を載置することができ、前記上板部または前記側板部との間で通気口を設けて形成された底板部とを備える乾燥剤容器である。
【００１０】
（２）本発明は、シート（ブランク）を型抜きして形成され、平面板で形成された上板部と、該上板部に接続され、平面板で形成された側板部と、該側場部に接続され、乾燥剤を載置することができ、前記上板部または前記側板部との間で通気口を設けて形成された底板部とを有する型抜きシートを、前記上板部、前記側板部および前記底板部の境界で折り曲げて組み立ててある上記（１）の発明に係る乾燥剤容器である。
【００１１】
この場合は、型抜きシートの形成は、比較的容易に、かつ効率的にできるので、組み立てを手作業で行うとしても、生産性を向上させることができ、生産コストの低減にも寄与できる。
【００１２】
（３）本発明は、紙製である上記（１）または（２）の発明に係る乾燥剤容器である。
【００１３】
この場合は、乾燥剤容器の素材が紙であるので、軽量、かつ安価につくることができると共に、表面に包装する内容物（商品）に関連する各種プリントを施すなどして、広告性や装飾性を付与することが簡単にできるようになる。
【００１４】
（４）本発明は、内部に乾燥剤を収容している上記（１）、（２）または（３）の発明に係る乾燥剤容器である。
【００１５】
この場合、包装容器内部に収容したとき、吸湿を行うことで、包装状態で内容物を乾燥させることができ、包装容器を開封した後、封止および開封を繰り返す場合でも、内容物が湿気ることを防止することができる。
【００１６】
（５）本発明は、その下側が筒状に形成された胴部と、該胴部の下端寄りに下方向側へ膨らむよう湾曲して形成された曲面形状の底部を有し、一部又は全部が透明又は透視できる程度の半透明なプラスチック製であると共に変形性を有するパック容器と、その底面が前記パック容器の前記底部に収まる形状を有すると共に、平面板で形成された上板部と、該上板部に接続され、平面板で形成された側板部と、該側場部に接続され、乾燥剤を載置することができ、前記上板部または前記側板部との間で通気口を設けて形成される底板部とを有する、乾燥剤を収容した乾燥剤容器とを備える包装容器である。
【００１７】
（６）本発明は、その下側が筒状に形成された胴部と、該胴部の下端寄りに下方向側へ膨らむよう湾曲して形成された曲面形状の底部を有し、一部又は全部が透明又は透視できる程度の半透明なプラスチック製であると共に変形性を有するパック容器と、その底面が前記パック容器の前記底部に収まる形状を有すると共に、平面板で形成された上板部と、該上板部に接続され、平面板で形成された側板部と、該側場部に接続され、乾燥剤を載置することができ、前記上板部または前記側板部との間で通気口を設けて形成される底板部とを有する、乾燥剤を収容した乾燥剤容器と、所要枚数を重ね、それぞれの下端を前記乾燥剤容器の上面に載せて満遍なく配置するようにして、前記包装容器に収容されている紙葉状海苔とを備える紙葉状海苔包装体である。
【００１８】
（作用）
本発明に係る乾燥剤容器、包装容器および紙葉状海苔包装体の作用を説明する。
（乾燥剤容器の作用）
乾燥剤容器は、上板部または側板部との間で通気口を設けて形成された底板部とを備える構成であるため、容器に通気口が形成され、通気性が良好で乾燥剤の機能を充分に発揮できるので、例えば乾燥剤容器を包装容器に収容したときに、内容物の乾燥効率を向上させ、乾燥状態を効果的に維持できる。なお、通気口は、上板部および側板部と底板部との間に形成することもできる。
【００１９】
（包装容器の作用）
包装容器は、パック容器の胴部内部の底部に、乾燥剤を入れた乾燥剤容器を収容して構成されている。これにより、パック容器に収容される内容物を載せる部分は、従来のように曲面形状を有する底部ではなく、乾燥剤容器の平面形状を有する上板部となる。
【００２０】
パック容器の、その下側が筒状に形成された胴部は、胴部に充分な剛性を付与すれば、自立性を有する容器となり、ボトルのように立てて並べることができるので、陳列性、つまりディスプレイ効果に優れる。
【００２１】
パック容器の、胴部の下端寄りに下方向側へ膨らむよう湾曲して形成された曲面形状の底部は、胴部下側の筒形状を保つための支える部分および補強となり、容器を安定的に収容する空間をつくることができる。
【００２２】
パック容器は、一部又は全部が透明又は透視できる程度の半透明なプラスチック製であるので、パック容器内部の内容物の形や状態を外部から見ることができる。
また、パック容器は、変形性を有するので、包装容器を多数箱詰めする等の包装の際には、互いに隙間なく詰めることができ、収容性に優れる。
【００２３】
乾燥剤容器は、その底面がパック容器の底部に収まる形状をなすので、容器が安定し収まりがよく、包装容器の姿勢が変わったときにも、容器が底部からずれにくい。
【００２４】
また、乾燥剤容器は、その上面が平面形状をなすので、内容物を上面のどこに載せても内容物が安定しやすい。したがって、内容物を上面の全体に満遍なく載せる場合も、安定させた状態で載せることができる。また、このような形態で内容物を収容すれば、従来のように包装容器内部で内容物の高さが揃わずに包装容器内部に無駄に大きな空隙が形成されることがなく、内容物にもボリューム感が出るため見栄えがする。
【００２５】
（紙葉状海苔包装体の作用）
紙葉状海苔包装体は、包装容器に紙葉状海苔を収容した構成である。紙葉状海苔は、通常は厚み方向へ多数重ねられて収容されており、紙葉状海苔を上面の全体に満遍なく載せるときに、安定させた状態で載せることができる。このようにして、紙葉状海苔を包装容器に収容して包装することで、従来のように自立型包装容器内部で紙葉状海苔の高さが揃わずに包装容器内部に無駄に大きな空隙が形成されることがなく、紙葉状海苔にもボリューム感が出るため見栄えがする。
【００２６】
また、包装容器は、乾燥剤を収容した容器を底部上側に配置して収容している。紙葉状海苔は、厚み方向へ多数重ねられて、下端を乾燥剤を収容した容器の上面に載せて満遍なく配置されており、また、紙葉状海苔のそれぞれの間には、表面が粗い分、僅かな空隙があり、これが通気路となって、容器内の乾燥剤で紙葉状海苔全体の乾燥をムラなく平均的に行うことができる。
【発明の効果】
【００２７】
本発明は、内容物の乾燥がより効果的に行われるように通気性を向上させた、包装容器に使用される乾燥剤容器、この乾燥剤容器を使用し、内部における内容物の収容位置での安定度を高めて収まりよくすることで、見栄えがするように内容物を収容できる包装容器、およびこの包装容器を使用した紙葉状海苔包装体を提供することができる。
【図面の簡単な説明】
【００２８】
【図１】乾燥剤容器の参考例を示す斜視図である。
【図２】図１に示す乾燥剤容器の展開図である。
【図３】本発明の自立型包装容器の一実施の形態を示す斜視図である。
【図４】本発明の紙葉状海苔包装体の一実施形態を示す正面図である。
【図５】図４におけるＡ−Ａ断面図である。
【図６】本発明の乾燥剤容器の実施の形態を示す斜視図である。
【図７】図６に示す乾燥剤容器の展開図である。
【発明を実施するための形態】
【００２９】
図１を参照して、本発明の参考例を示す。
乾燥剤容器２は、紙製の平面板で形成された八角形の上板部２１を有している。上板部２１は、異形の八角形であり、点対称（または線対称）形状である。上板部２１は、互いに平行な各長辺部（符号省略）の間隔より、互いに平行な各短辺部（符号省略）の間隔がやや長い形状である。
【００３０】
上板部２１のうち、各長辺部には、長辺部と同幅でほぼ四角形状の側板部２２、２３が、上板部２１に対し直角に設けられている。また、一方の側板部２３の先端縁には、側板部２３と同幅でほぼ四角形状の底板部２４が側板部２３に対し直角に設けられている。そして、上記側板部２２の先端部と底板部２４の先端部は、あとで説明する構造を以て接続されている。
【００３１】
また、上板部２１のうち、それぞれ長辺部に続く四箇所に設けられ、長辺部と所要の角度をもって形成された中辺部（符号省略）には、ほぼ三角形状で側板部２２、２３より小さい側板部２１０、２１１、２１２、２１３が上板部２１に対し直角に設けられている。
【００３２】
この構造により、底板部２４と側板部２１０、２１１、上板部２１の間、および底板部２４と側板部２１２、２１３、上板部２１の間には、それぞれ通気口２５、２５ａが形成されている。また、底板部２４には、乾燥剤または乾燥剤を通気性を有する袋などに詰めた乾燥剤入り袋などを載置して、内部の空間（符号省略）に収容することができる。
【００３３】
本参考例の乾燥剤容器２は、紙製であるが、これに限定するものではなく、例えばプラスチック板、保形加工をした布や不織布、薄い木板、金属箔やプラスチックのメッシュ板、あるいは同じ紙製でも薄い段ボールなど、他の材料を使用することもできる。なお、これについては、後述する乾燥剤容器４についても同様である。
【００３４】
（型抜きシート２０の構造）
図２を参照する。
本参考例では、乾燥剤容器２は、紙製で平面板状のシート（ブランク）を型抜きして形成した型抜きシート２０を所要箇所で折り曲げて立体形状に形成されたものである。型抜きシート２０は、平面板である八角形状の上板部２１を有している。
【００３５】
上板部２１のうち、図２において上下に位置する互いに平行な長辺部には、折り曲げ線ａ、ｃを境界部として同幅でほぼ四角形状の側板部２２、２３が接続されて設けられている。側板部２２の先端縁の中央には、折り曲げ線ｂを境界部として側板部２２より幅が狭くやや短い四角形状の差込片２２０が接続されて設けられている。
【００３６】
また、側板部２３の先端縁には、折り曲げ線ｄを境界部として同幅でほぼ四角形状の底板部２４が接続されて設けられている。また、底板部２４の先端縁には、折り曲げ線ｅを境界部として同幅でやや短い受板部２４０が接続されて設けられている。底板部２４と受板部２４０の境界部の中央には、上記差込片２２０を差し込むための切込部２４１が形成されている。なお、受板部２４０は、組み立て時において、上記側板部２２を当てた状態で受けることができる。
【００３７】
また、上板部２１のうち、それぞれ長辺部に続く四箇所に設けられ、長辺部と所要の角度をもって形成された中辺部（符号省略）には、折り曲げ線ｆ、ｇ、ｈ、ｉを境界部としてほぼ三角形状の側板部２１０、２１１、２１２、２１３が接続されて設けられている。そして、側板部２１０、２１１の間、および側板部２１２、２１３の間には、互いに平行な短辺部（符号省略）が形成されている。
【００３８】
（型抜きシート２０の組み立て）
乾燥剤容器２は、型抜きシート２０から、次の手順で組み立てる。
（１）図２において、型抜きシート２０の折り曲げ線ａ、ｂ、ｃ、ｄ、ｅを全て山折りにする。
【００３９】
（２）差込片２２０を切込部２４１に差し込んで、側板部２２と底板部２４を係合し、各山折り部が９０°になるように整えて、上板部２１、側板部２２、２３及び底板部２４を組み立てる。
（３）最後に、折り曲げ線ｆ、ｇ、ｈ、ｉで側板部２１０、２１１、２１２、２１３を９０°で折り曲げて、図１に示す形状の乾燥剤容器２を形成する。
【００４０】
（作用）
乾燥剤容器２は、底板部２４と側板部２１０、２１１、上板部２１の間、および底板部２４と側板部２１２、２１３、上板部２１の間に、それぞれ通気口２５、２５ａが形成されている。
この構造によれば、乾燥剤容器２の内部に乾燥剤を収容した際、通気口２５、２５ａの間で空気が通り抜けるように通気が良好に行われるので、例えば乾燥剤容器２を包装容器に収容したときに、包装容器の内部空間、または内容物の乾燥を効率よく行うことができる。
【００４１】
図３には、包装容器である自立型包装容器Ｐを表し、図４、図５には、自立型包装容器Ｐに内容物である多数の枚数の紙葉状海苔３を収容し包装した紙葉状海苔包装体Ｐ0を表している。
【００４２】
自立型包装容器Ｐは、パック容器１と、内部に袋入り乾燥剤２９を収容した乾燥剤容器２を備えている。パック容器１は、全部が変形性（又は柔軟性）を有すると共に、透明なプラスチックで形成されている。なお、パック容器１は、例えば収容した内容物が見える部分を透明にし、他の部分に印刷で各種のデザインを施すこともできるし、全体を不透明につくることもできる。また、パック容器１の透明部分は、透視できる程度の半透明にしてもよい。
【００４３】
パック容器１は、筒状の胴部１０を有している。胴部１０には、プラスチックの素材で自立型包装容器Ｐを自立させるのに充分な剛性（又は準剛性）が付与されている。胴部１０は、両側（図３で左右側）端部に、全高にわたり直線的に熱溶着された封止部１６、１７を有している。胴部１０は、下端寄りに、下方向側へ膨らむよう湾曲した曲面形状の底部１１を有している。底部１１は、拡がったときに平面視でほぼ楕円形状（但し、両側端部は封止部１６、１７へ向け狭まっている）となるように形成されている。
【００４４】
また、底部１１は、胴部１０の内面に、内部側を気密にできるように、周縁部が熱溶着されている。なお、底部１１の定着又は形成方法は、この方法に限定するものではなく、例えば接着剤を使用した接着、或いは胴部１０をフィルムの多層構造として、内面側の層で底部を形成する等、他の方法を採用してもよい。
【００４５】
底部１１の曲面形状は、ほぼ部分円筒状となっており、底部１１の中央部最深部分の高さは、胴部１０の下端１４よりやや高くなるように設定されている。なお、底部１１の曲面形状は、これに限定するものではなく、例えば椀形（又は外面側が半球面状）等、他の構造としてもよいが、その場合は底部に収める乾燥剤容器の形状も、上記乾燥剤容器２、４以外のそれに対応した形状を採るのが好ましい。
【００４６】
胴部１０の上端１２寄りには、内部を気密状態とすることができるプラスチック製のファスナー１３が、胴部１０のほぼ全幅（封止部１６、１７を除く）にわたり取り付けられている。ファスナー１３よりやや上側の封止部１６、１７部分には、互いに同じ高さに手切り用の切り込み１８が形成されている。なお、胴部１０の上端１２側（ファスナー１３より上側）は、内容物を収容した後に封緘が行われる。また、使用するファスナーの種類は、気密状態と開放状態が切り替え可能なものであれば特に限定するものではない。
【００４７】
内部に袋入り乾燥剤２９を収容した乾燥剤容器２は、パック容器１内部の底部１１上面に載置されており、乾燥剤容器２は空間１５にほぼ全体が収まるようにして収容されている。乾燥剤容器２の上板部２１の高さは、パック容器１両側の底部１１の最上部高さよりやや高くなっているが、これに限定されるものではなく、同じ高さになるようにしてもよい。
【００４８】
袋入り乾燥剤２９は、不織布などの通気性を有する袋体にシリカゲルなどの乾燥剤を適量詰めたものである。なお、パック容器１内部を乾燥させる乾燥剤は、乾燥剤容器２（または４）に収容して、保持ができる大きさであれば、袋入り乾燥剤２９の形態に限定せず、塊状の乾燥剤など、公知の形態の乾燥剤を適宜採用できる。
【００４９】
（作用）
ここで、本実施の形態の自立型包装容器Ｐの作用を説明する。
自立型包装容器Ｐは、ボトルのように立てて置いて並べることができるので、陳列性、つまりディスプレイ効果に優れる。また、自立型包装容器Ｐは、パック容器１の底部１１に、内部に袋入り乾燥剤２９を収容した乾燥剤容器２を空間１５収容して構成されている。これにより、収容される内容物を載せる部分は、従来の容器のように、曲面形状を有する底部ではなく、乾燥剤容器２の平板状の上板部２１となる。
【００５０】
乾燥剤容器２は、内部に乾燥剤を収容した際、通気口２５、２５ａの間で空気が通り抜けるように通気が良好に行われるので、乾燥剤容器２をパック容器１に収容したときに、パック容器１の内部空間の乾燥を効率よく行うことができる。また、乾燥剤容器２は、平板状の各板部（底板部２４、側板部２２、２３、２１０、２１１、２１２、２１３）でつくられているので、曲面形状の底部１１の内面との間に空隙が形成され、通気口２５、２５ａによりパック容器１内の空気が良好に通気できることとも相まって、パック容器１の内部空間、または内容物である紙葉状海苔３などの乾燥を効率よく行うことができる。
【００５１】
また、パック容器１の、胴部１０の下端寄りに下方向側へ膨らむよう湾曲して形成された曲面形状の底部１１は、胴部１０下側の筒形状を保つための支える部分および補強となると共に、袋入り乾燥剤２９を収容した乾燥剤容器２を安定的に収容する空間１５をつくることができる。なお、底部１１は、胴部１０に剛性（又は準剛性）を付与する助けともなる。
【００５２】
パック容器１は、一部又は全部が透明又は透視できる程度の半透明なプラスチック製であるので、パック容器１内部の内容物の形や状態を外部から見ることができる。更に、パック容器１１は、変形性を有するので、内容物を包装した自立型包装容器Ｐを多数箱詰めする等の包装の際には、互いに隙間なく詰めることができ、収容性に優れる。
【００５３】
そして、乾燥剤容器２の上板部２１が平面形状であることにより、かつ乾燥剤容器２の内部にやや重みのある袋入り乾燥剤２９が収容されていることにより、紙葉状海苔などの内容物を上板部２１に載せたときに内容物が安定しやすい。したがって、内容物を上板部２１の全体に満遍なく載せる場合も、安定させた状態で収容することができる。また、このような形態で内容物を収容すれば、従来のように自立型包装容器Ｐ内部に無駄に大きな空隙が形成されることがなく、内容物にもボリューム感が出るため見栄えがする。
【００５４】
また、袋入り乾燥剤２９を収容した乾燥剤容器２を底部１１上方の空間１５にほぼ全体が収まるように配置しているので、パック容器１の胴部１０の形状も、乾燥剤容器２の平面視形状（上板部２１の形状）に沿うように変形し、結果、パック容器１の胴部１０の下部側が比較的広く開くことになるので、内容物の収容を人の手で行う場合、作業がしやすくなる。これにより、内容物を包装した後で、例えば自立型包装容器Ｐの姿勢が変わったときにも、乾燥剤容器２が底部１１からずれたり空間１５から飛び出したりしにくく、内容物の収まりを崩してしまうことを防止できる。
【００５５】
図４および図５を主に参照する。
紙葉状海苔包装体Ｐ0は、自立型包装容器Ｐに多くの枚数の紙葉状海苔３を収容して包装した構成である。紙葉状海苔３は、厚み方向へ多数重ねられて、それぞれの位置を適宜ずらしながら、下端を乾燥剤容器２の上板部２１の上面に載せて満遍なく配置されている。
【００５６】
紙葉状海苔３は、長方形の紙葉状の乾燥海苔の表面に調味液をコーティングした、いわゆる味海苔ともいわれるもので、湿分を嫌うものである。なお、紙葉状海苔としては、表面に調味液をコーティングしていない乾燥海苔を採用してもよい。「紙葉状」の用語は、所要形状で比較的小片であるシート状物の意味を含む。
【００５７】
（作用）
ここで、本実施の形態の紙葉状海苔包装体Ｐ0の作用を説明する。
紙葉状海苔包装体Ｐ0では、紙葉状海苔３を満遍なく載せている乾燥剤容器２の上板部２１の上面は平面状であるので、紙葉状海苔３全体を安定させた状態で載せて自立型包装容器Ｐ内部に収容することができる。収容後は、自立型包装容器Ｐのパック容器１上端部（両切り込み１８より上側）を熱溶着等により封緘する。なお、封緘部は、図４および図５においては、図示を省略している。
【００５８】
このようにして、紙葉状海苔３を自立型包装容器Ｐに収容して包装することで、紙葉状海苔３の下側が揃うので、従来のように自立型包装容器Ｐ内部で紙葉状海苔３の高さが揃わず無駄に大きな空隙が形成されることがなく、紙葉状海苔３にもボリューム感が出るため見栄えがする。
【００５９】
また、自立型包装容器Ｐは、乾燥剤容器２を底部１１の上側の空間１５に、上板部２１を上にして収容している。上板部２１上面に載せられている紙葉状海苔３のそれぞれの間には、表面が粗い分、僅かな空隙があり、これが通気路となる。これにより、乾燥剤入り袋体２９を収容した乾燥剤容器２による紙葉状海苔３全体の乾燥をムラなく効率よく、かつ平均的に行うことができる。
【００６０】
なお、紙葉状海苔３は割れたり欠けたりしやすいので、包装の際は、人の手で自立型包装容器Ｐに収容するのが一般的である。このとき、紙葉状海苔３を収容する前に、自立型包装容器Ｐの底部１１上側に、乾燥剤入り袋体２９を収容した乾燥剤容器２を収容するので、紙葉状海苔３を収容する際には、自立型包装容器Ｐの胴部１０は、すでに一度拡げられている。したがって、人の手による紙葉状海苔３の収容作業がしやすく、作業効率がよくなることが期待できる。
【００６１】
図６を参照する。
乾燥剤容器４は、紙製の平面板で形成された六角形の上板部４１を有している。上板部２１は、中央に円形の貫通した通気孔４１９が形成されている。上板部２１は、互いに平行な各長辺部（符号省略）の間隔より、長辺部に続けて設けられた等辺部で形成された相対向する二箇所にある突出部（符号省略）の先端同士の間隔がやや長い形状である。
【００６２】
上板部４１のうち、一方の長辺部には、長辺部と同幅でほぼ四角形状の側板部４２が、上板部４１に対し直角に設けられている。側板部４２の先端縁には、側板部４２より幅が狭くほぼ四角形状の底板部４３が側板部４２に対し直角に設けられている。底板部４３の先端縁には、側板部４３と同幅でほぼ四角形状の側板部４４が底板部４３に対し直角に設けられている。そして、上記側板部４４の先端部と上板部４１の先端部は、あとで説明する構造を以て接続されている。
【００６３】
側板部４２の両側の端縁には、側板部４２１、４２２が側板部４２に対し所要の角度を以て設けられている。また、側板部４４の両側の端縁には、側板部４４１、４４２が側板部４４に対し所要の角度を以て設けられている。そして、側板部４２２、４４２は、先端側が係合されて接続され、側板部４２１、４４１は、先端側が係合されて接続されている。なお、側板部４２２、４４２と側板部４２１、４４１は、あとで説明する構造を以て接続されている。
【００６４】
この構造により、底板部４３と側板部４２１、４４１の間、底板部４３と側板部４２２、４４２の間には、それぞれ通気口４５、４５ａが形成されている。また、上記乾燥剤容器２と同様に、底板部４３には、乾燥剤または乾燥剤を通気性を有する袋などに詰めた乾燥剤入り袋などを載置して、内部の空間（符号省略）に収容することができる。
【００６５】
（型抜きシート４０の構造）
図７を参照する。
本実施の形態では、乾燥剤容器４は、紙製で平面板状のシート（ブランク）を型抜きして形成した型抜きシート４０を所要箇所で折り曲げて立体形状に形成されたものである。型抜きシート４０は、平面板である六角形状の上板部４１を有している。
【００６６】
上板部４１のうち、一方の長辺部には、折り曲げ線ｊを境界部として長辺部と同幅でやや短い受板部４１０が接続されて設けられている。この境界部の中央には、後述する差込片４４０を差し込むための切込部４１１が形成されている。
【００６７】
上板部４１のうち、他方の長辺部には、折り曲げ線ｋを境界部として長辺部と同幅でほぼ四角形状の側板部４２が接続されて設けられている。側板部４２の両側の端縁には、折り曲げ線ｑ、ｐを境界部としてほぼ四角形状の側板部４２１、４２２が接続されて設けられている。また、側板部４２１、４２２の先端寄りの一方の長辺には、切込部４２３、４２４が折り曲げ線ｑ、ｐと平行に形成されている。
【００６８】
側板部４２の先端縁には、折り曲げ線ｍを境界部として側板部４２より幅が狭くほぼ四角形状の底板部４３が接続されて設けられている。底板部４３の先端部には、折り曲げ線ｎを境界部として側板部４２と同幅でほぼ四角形状の側板部４４が接続されて設けられている。また、側板部４４の先端縁の中央には、折り曲げ線Oを境界部として側板部４４より幅狭でやや短い差込片４４０が接続されて設けられている。
【００６９】
また、側板部４４の両側の端縁には、折り曲げ線ｒ、ｓを境界部としてほぼ四角形状の側板部４４１、４４２が接続されて設けられている。また、側板部４４１、４４２の先端寄りの一方の長辺には、切込部４４３、４４４が折り曲げ線ｒ、ｓと平行に形成されている。
【００７０】
（型抜きシート４０の組み立て）
乾燥剤容器４は、型抜きシート４０から、次の手順で組み立てる。
【００７１】
（１）図７において、型抜きシート４０の折り曲げ線ｊ、ｋ、ｍ、ｎ、ｏを全て山折りにする。
（２）差込片４４０を切込部４１１に差し込んで、側板部２２と底板部２４を係合し、各山折り部が９０°になるように整えて上板部４１、側板部４２、４４及び底板部４３を組み立てる。
（３）最後に、折り曲げ線ｑ、ｐ、ｓ、ｒで側板部４２１、４２２、４４１、４４２を所要の角度で折り曲げて、側板部４２１の切込部４２３と側板部４４１の切込部４４３を係合し、更に側板部４２２の切込部４２４と側板部４４２の切込部４４４を係合して、図６に示す形状の乾燥剤容器４を形成する。
【００７２】
（作用）
乾燥剤容器４は、底板部４３と側板部４４１、４２１の間、および底板部４３と側板部４４２、４２２の間に、それぞれ通気口４５、４５ａが形成されている。
この構造によれば、乾燥剤容器４の内部に乾燥剤を収容した際、通気口４５、４５ａの間で空気が通り抜けるように通気が良好に行われるので、例えば乾燥剤容器４を包装容器に収容したときに、包装容器の内部空間、または内容物の乾燥を効率よく行うことができる。
【００７３】
なお、本明細書で使用している用語と表現は、あくまでも説明上のものであって、なんら限定的なものではなく、本明細書に記述された特徴およびその一部と等価の用語や表現を除外する意図はない。
【符号の説明】
【００７４】
Ｐ0  紙葉状海苔包装体
Ｐ  自立型包装容器
１  パック容器
１０  胴部
１１  底部
１２  上端
１３  ファスナー
１４  下端
１５  空間
１６、１７  封止部
１８  切り込み
２  乾燥剤容器
２０  型抜きシート
２１  上板部
２１０、２１１、２１２、２１３  側板部
２２  側板部
２２０  差込片
２３  側板部
２４  底板部
２４０  受板部
２４１  切込部
２５、２５ａ  通気口
２９  袋入り乾燥剤
ａ、ｂ、ｃ、ｄ、ｅ、ｆ、ｇ、ｈ、ｉ  折り曲げ線
４  乾燥剤容器
４０  型抜きシート
４１  上板部
４１０  受板部
４１１  切込部
４１９  通気孔
４２  側板部
４２１、４２２  側板部
４２３、４２４  切込部
４３  底板部
４４  側板部
４４０  差込片
４４１、４４２  側板部
４４３、４４４  切込部
ｊ、ｋ、ｍ、ｎ、ｐ、ｑ、ｒ、ｓ  折り曲げ線
３  紙葉状海苔
【図１】
0006587422.tif 000002
【図２】
0006587422.tif 000003
【図３】
0006587422.tif 000004
【図４】
0006587422.tif 000005
【図５】
0006587422.tif 000006
【図６】
0006587422.tif 000007
【図７】
0006587422.tif 000008